(57)【要約】  装飾的支持構造（１００）と、第一の開口部（１０８）と、第二の開口部（１１０）と、装飾的支持構造（１００）によって第一の開口部（１０８）を通じて受けられる第一の環状要素（１０４）と、装飾的支持構造（１００）によって第二の開口部（１１０）を通じて受けられる第二の環状要素（１０６）と、を含むジュエリー品。第一の開口部（１０８）と第二の開口部（１１０）は、それぞれ受けられている第一の環状要素と第二の環状要素（１０４、１０６）の横方向の移動を制限する一方で、第一の環状要素と第二の環状要素（１０４、１０６）が装飾的支持構造に対して回転できるようにする形状であってもよい。第一の環状要素（１０４）は第二の環状要素（１０６）と絡み合っていてもよい。【選択図】図１Ｂ
2015528346.tif 000002
【特許請求の範囲】
【請求項１】
装飾的支持構造と、
前記装飾的支持構造の底部の中に設けられた第一の開口部と、
前記装飾的支持構造の底部の中に設けられた第二の開口部と、
前記装飾的支持構造によって前記第一の開口部を通じて受けられる第一の環状要素と、
前記装飾的支持構造によって前記第二の開口部を通じて受けられる第二の環状要素と、
を含むジュエリー品において、
前記第一の開口部が、受けられている前記第一の環状要素の横方向の移動を制限する一方で、前記第一の環状要素が前記装飾的支持構造に対して回転できるようにする形状であり、前記第二の開口部が、受けられている前記第二の環状要素の横方向の移動を制限する一方で、前記第二の環状要素が前記装飾的支持構造に対して回転できるようにする形状であり、前記第一の環状要素は前記第二の環状要素と絡み合っていることを特徴とするジュエリー品。
【請求項２】
請求項１に記載のジュエリー品において、
前記第一の環状要素と前記第二の環状要素が各々、貴石、合成材料、アクリル、クリスタルのうちの少なくとも１つ含むことを特徴とするジュエリー品。
【請求項３】
請求項１に記載のジュエリー品において、
前記第一の環状要素の表面の少なくとも一部と前記第二の環状要素の表面の少なくとも一部が、織目加工付と平滑のうちの少なくとも一方であることを特徴とするジュエリー品。
【請求項４】
請求項１に記載のジュエリー品において、
前記装飾的支持構造が、
上側の装飾的支持構造と、
下側の装飾的支持構造と、
を含み、
前記第一の開口部と前記第二の開口部が前記下側の装飾物支持構造の中に位置付けられていることを特徴とするジュエリー品。
【請求項５】
請求項４に記載のジュエリー品において、
前記上側の装飾的支持構造が、
第一の偏倚装飾物支持構造と、
第二の偏倚装飾物支持構造と、
装飾物を支持するように構成されたカラーと、
をさらに含み、
前記カラーが前記第一の偏倚装飾物支持構造と前記第二の偏倚装飾物支持構造の間に設けられていることを特徴とするジュエリー品。
【請求項６】
請求項５に記載のジュエリー品において、
前記第一の偏倚支持構造の上部と前記第二の偏倚支持構造の上部の少なくとも一方の上の少なくとも１つの装飾物をさらに含むことを特徴とするジュエリー品。
【請求項７】
請求項４に記載のジュエリー品において、
前記上側の装飾的支持構造は、
装飾物を支持するように構成された少なくとも１つの装飾物支持手段をさらに含み、
支持されている前記装飾物が部分的に前記下側の装飾的支持構造の中へと延びていることを特徴とするジュエリー品。
【請求項８】
装飾的支持構造と、
前記装飾的支持構造の底部の中に設けられた第一の開口部と、
前記装飾的支持構造の底部の中に設けられた第二の開口部と、
前記装飾的支持構造によって前記第一の開口部を通じて受けられる第一の環状要素と、
前記装飾的支持構造によって前記第二の開口部を通じて受けられる第二の環状要素と、
を含むジュエリー品において、
前記第一の開口部が、受けられている前記第一の環状要素の横方向の移動を制限する一方で、前記第一の環状要素が前記装飾的支持構造に対して回転できるようにする形状であり、前記第二の開口部が、受けられている前記第二の環状要素の横方向の移動を制限する一方で、前記第二の環状要素が前記装飾的支持構造に対して回転できるようにする形状であり、前記第一の環状要素は前記第二の環状要素と平行であることを特徴とするジュエリー品。
【請求項９】
請求項８に記載のジュエリー品において、
前記第一の環状要素と前記第二の環状要素が各々、貴石、合成材料、アクリル、クリスタルのうちの少なくとも１つ含むことを特徴とするジュエリー品。
【請求項１０】
請求項８に記載のジュエリー品において、
前記第一の環状要素の表面の少なくとも一部と前記第二の環状要素の表面の少なくとも一部が、織目加工付と平滑のうちの少なくとも一方であることを特徴とするジュエリー品。
【請求項１１】
請求項８に記載のジュエリー品において、
前記装飾的支持構造が、
上側の装飾的支持構造と、
下側の装飾的支持構造と、
を含み、
前記第一の開口部と前記第二の開口部が前記下側の装飾物支持構造の中に位置付けられていることを特徴とするジュエリー品。
【請求項１２】
請求項１１に記載のジュエリー品において、
前記上側の装飾的支持構造が、
第一の偏倚装飾物支持構造と、
第二の偏倚装飾物支持構造と、
装飾物を支持するように構成されたカラーと、
をさらに含み、
前記カラーが前記第一の偏倚装飾物支持構造と前記第二の偏倚装飾物支持構造の間に設けられていることを特徴とするジュエリー品。
【請求項１３】
請求項１２に記載のジュエリー品において、
前記第一の偏倚装飾物支持構造の上部と前記第二の偏倚装飾物支持構造の上部の少なくとも一方の上の少なくとも１つの装飾物をさらに含むことを特徴とするジュエリー品。
【請求項１４】
請求項１１に記載のジュエリー品において、
前記上側の装飾的支持構造は、
装飾物を支持するように構成された少なくとも１つの装飾物支持手段をさらに含み、
支持されている前記装飾物が部分的に前記下側の装飾的支持構造の中へと延びていることを特徴とするジュエリー品。
【発明の詳細な説明】
【技術分野】
【０００１】
関連出願の相互参照
本願は、２０１２年８月２９日に出願された米国仮特許出願第６１／６９４，７０６号明細書の優先権と利益を主張するものであり、その内容をあらゆる目的のために参照によって本願に援用する。
【０００２】
本発明は一般に、ジュエリーリングアセンブリおよび、特に絡み合った環状要素に関する。
【発明の概要】
【０００３】
ジュエリー品の例示的実施形態は、装飾的支持構造と、装飾的支持構造の底部の中に設けられた第一の開口部と、装飾的支持構造の底部の中に設けられた第二の開口部と、装飾的支持構造によって第一の開口部を通じて受けられる第一の環状要素と、装飾的支持構造によって第二の開口部を通じて受けられる第二の環状要素と、を含んでいてもよく、第一の開口部は、受けられている第一の環状要素の横方向の移動を制限する一方で、第一の環状要素が装飾的支持構造に対して回転できるようにする形状であってもよく、第二の開口部は、受けられている第二の環状要素の横方向の移動を制限する一方で、第二の環状要素が装飾的支持構造に対して回転できるようにする形状であってもよく、第一の環状要素は第二の環状要素と絡み合っていてもよい。ジュエリー品のさらなる例示的実施形態では、第一の環状要素と第二の環状要素は、貴石、合成材料、アクリル、クリスタルのうちの少なくとも１つをさらに含んでいてもよい。ジュエリー品のさらなる例示的実施形態では、第一の環状要素と第二の環状要素の表面の少なくとも一部は織目加工付と平滑のうちの少なくとも一方であってもよい。ジュエリー品のさらなる例示的実施形態において、装飾的支持構造は、上側の装飾的支持構造と、下側の装飾的支持構造と、をさらに含んでいてもよく、第一の開口部と第二の開口部は下側の装飾物支持構造の中に設けられてもよい。ジュエリー品のさらなる例示的実施形態では、上側の装飾的支持構造は、第一の偏倚装飾物支持構造と、第二の偏倚装飾物支持構造と、装飾物を支持するように構成されたカラーと、をさらに含んでいてもよく、カラーは第一の偏倚装飾物支持構造と第二の偏倚装飾物支持構造の間に設けられてもよい。ジュエリー品のさらなる例示的実施形態は、第一の偏倚支持構造の上部と第二の偏倚支持構造の上部の少なくとも一方の上の少なくとも１つの装飾物をさらに含んでいてもよい。ジュエリー品のさらなる例示的実施形態において、上側の装飾的支持構造は、装飾物を支持するように構成された少なくとも１つの装飾物支持手段をさらに含んでいてもよく、支持されている装飾物は部分的に下側の装飾的支持構造の中へと延びていてもよい。
【０００４】
ジュエリー品のさらなる例示的実施形態は、装飾的支持構造と、装飾的支持構造の底部の中に設けられた第一の開口部と、装飾的支持構造の底部の中に設けられた第二の開口部と、装飾的支持構造によって第一の開口部を通じて受けられる第一の環状要素と、装飾的支持構造によって第二の開口部を通じて受けられる第二の環状要素と、を含んでいてもよく、第一の開口部は、受けられている第一の環状要素の横方向の移動を制限する一方で、第一の環状要素が装飾的支持構造に対して回転できるようにする形状であってもよく、第二の開口部は、受けられている第二の環状要素の横方向の移動を制限する一方で、第二の環状要素が装飾的支持構造に対して回転できるようにする形状であってもよく、第一の環状要素は第二の環状要素と実質的に平行であってもよい。ジュエリー品のさらなる例示的実施形態では、第一の環状要素と第二の環状要素は、貴石、合成材料、アクリル、クリスタルのうちの少なくとも１つをさらに含んでいてもよい。ジュエリー品のさらなる例示的実施形態では、第一の環状要素と第二の環状要素の表面の少なくとも一部は織目加工付と平滑のうちの少なくとも一方であってもよい。ジュエリー品のさらなる例示的実施形態において、装飾的支持構造は、上側の装飾的支持構造と、下側の装飾的支持構造と、をさらに含んでいてもよく、第一の開口部と第二の開口部は下側の装飾物支持構造の中に設けられてもよい。ジュエリー品のさらなる例示的実施形態では、上側の装飾的支持構造は、第一の偏倚装飾物支持構造と、第二の偏倚装飾物支持構造と、装飾物を支持するように構成されたカラーと、をさらに含み、カラーは第一の偏倚装飾物支持構造と第二の偏倚装飾物支持構造の間に設けられてもよい。ジュエリー品のさらなる例示的実施形態は、第一の偏倚支持構造の上部と第二の偏倚支持構造の上部の少なくとも一方の上の少なくとも１つの装飾物をさらに含んでいてもよい。ジュエリー品のさらなる例示的実施形態において、上側の装飾的支持構造は、装飾物を支持するように構成された少なくとも１つの装飾物支持手段をさらに含んでいてもよく、支持されている装飾物は部分的に下側の装飾的支持構造の中へと延びていてもよい。
【０００５】
実施形態を添付の図面の図中に、限定としてではなく、例として示す。
【図面の簡単な説明】
【０００６】
【図１Ａ】図１Ａは、装飾物支持構造の上面図を示す。
【図１Ｂ】図１Ｂは、装飾物支持構造の側面図を示す。
【図１Ｃ】図１Ｃは、装飾物支持構造の側面図を示す。
【図１Ｄ】図１Ｄは、装飾物支持構造の正面図を示す。
【図２Ａ】図２Ａは、あるリング構造の例示的実施形態の上面図を示す。
【図２Ｂ】図２Ｂは、あるリング構造の例示的実施形態の側面図を示す。
【図３Ａ】図３Ａは、あるリング構造の例示的実施形態の上面図を示す。
【図３Ｂ】図３Ｂは、あるリング構造の例示的実施形態の側面図を示す。
【図４Ａ】図４Ａは、あるリング構造の例示的実施形態の上面図を示す。
【図４Ｂ】図４Ｂは、あるリング構造の例示的実施形態の側面図を示す。
【図４Ｃ】図４Ｃは、あるリング構造の例示的実施形態の正面図を示す。
【図５Ａ】図５Ａは、あるリング構造の例示的実施形態の上面図を示す。
【図５Ｂ】図５Ｂは、あるリング構造の例示的実施形態の側面図を示す。
【図５Ｃ】図５Ｃは、あるリング構造の例示的実施形態の正面図を示す。
【図６Ａ】図６Ａは、あるリング構造の例示的実施形態の上面図を示す。
【図６Ｂ】図６Ｂは、あるリング構造の例示的実施形態の側面図を示す。
【図６Ｃ】図６Ｃは、あるリング構造の例示的実施形態の正面図を示す。
【図７Ａ】図７Ａは、あるリング構造の例示的実施形態の上面図を示す。
【図７Ｂ】図７Ｂは、あるリング構造の例示的実施形態の側面図を示す。
【図７Ｃ】図７Ｃは、あるリング構造の例示的実施形態の正面図を示す。
【発明を実施するための形態】
【０００７】
図１Ａは、装飾物支持構造１００の上面図を示す。装飾物支持構造１００は、中央装飾物１０２、例えば石、宝石、真珠等を含んでいてもよい。装飾物支持構造１００は、第一の環状要素１０４と第二の環状要素１０６と係合し、そこに取り外し可能に取り付けられ、および／またはそれらによって受けられる。環状要素は、例えば貴石、合成材料、アクリル、クリスタル、またはその他の材料であってもよい。
【０００８】
図１Ｂは、装飾物支持構造１００の側面図を示す。装飾物支持構造１００は、中央装飾物１０２、例えば石、宝石、真珠等を含んでいてもよい。装飾物支持構造１００は、第一の環状要素１０４と係合し、またはこれを受ける第一の開口部１０８と、第二の環状要素１０６と係合し、またはこれを受ける第二の開口部１１０を含んでいてもよい。第一の開口部１０８と第二の開口部１１０は、例えば長方形等、どのような形状であってもよく、第一の環状要素１０４と第二の環状要素１０６の横方向の移動を制限する一方で、第一の環状要素１０４と第二の環状要素１０６がそれぞれ第一の開口部１０８と第二の開口部１１０を通じて回転できるようにする形状であってもよい。いくつかの実施形態において、第一の開口部１０８の形状と第二の開口部１１０の形状は、それぞれ第一の環状要素１０４と第二の環状要素１０６の少なくとも１つの表面の形状に沿っていてもよく、各開口部１０８、１１０の形状が、それぞれの環状要素１０４、１０６の各々の、装飾物支持構造１００に関する横方向の移動を制限するような形状である。環状要素１０４、１０６の形状に応じて、それぞれの開口部１０８、１１０の少なくとも一部は、環状要素１０４、１０６の横方向の移動を制限する一方で、環状要素１０４、１０６が装飾物支持構造１００に対して回転できるようにする形状であってもよい。この例示的実施形態において、第一の環状要素１０４と第二の環状要素１０６は絡み合っていてもよい。いくつかの実施形態において、１つまたは複数の装飾物が、第一の環状要素１０４の表面、第二の環状要素の１０６の表面、または両方の環状要素１０４、１０６の表面の上に設置されていてもよい。さらなる実施形態において、第一の環状要素１０４、第二の環状要素１０６、またはその両方の表面の少なくとも一部は織目加工付または平滑であってもよく、１つまたは複数の石を保持していても、また２つまたはそれ以上の異なる材料を含んでいてもよい。
【０００９】
図１Ｃは、装飾物支持構造１００の側面図を示す。この例示的実施形態において、第一の環状要素１０４と第二の環状要素１０６は相互に平行であってもよく、第一の環状要素１０４の第二の環状要素１０６に関する位置が、製造公差および／または環状要素１０４、１０６の１つまたは２つに加えられる一方向または複数方向からの力によって若干変化しうる。第一の環状要素１０４、第二の環状要素１０６、またはその両方は、それぞれ第一の開口部１０８と第二の開口部１１０を通じて自由に回転できる。
【００１０】
図１Ｄは、装飾物支持構造１００の正面図を示す。この例示的実施形態において、第一の環状要素１０４と第二の環状要素１０６は絡み合っている。環状要素１０４、１０６は、それぞれの開口部（図１Ｂ参照）を介して装飾物支持構造１００と係合し、またはそれによって受けられていてもよい。装飾物支持構造は、上側の装飾物支持個構造１０３と下側の装飾物支持構造１０７を含んでいてもよい。破線で示される中央装飾物は、上側の装飾物支持構造１０３の上部から下側の装飾物支持構造１０７中へと延びていてもよい。開口部１０８、１１０（図１Ｂ参照）はそれぞれの環状要素１０４、１０６と下側の装飾支持構造１０７において係合していてもよい。
【００１１】
図２Ａは、装飾物支持手段を備えるクロスボウ用リングのある例示的実施形態の上面図を示す。この例示的実施形態は、第一の偏倚装飾物支持構造２１６と第二の偏倚装飾物支持構造２１８と、を含んでいてもよく、これはそれぞれ第一の偏倚装飾物２１２と第二の偏倚装飾物２１４を見えるように支持してもよい。偏倚装飾物２１２、２１４は中央装飾物２０２と同じ材料、例えば石であってもよく、または異なる材料で作製されていてもよい。任意選択により、中央装飾物２０２はカラー２２０によって支持されていてもよい。
【００１２】
図２Ｂは、装飾物支持手段を備えるクロスボウ用リングのある例示的実施形態の側面図を示す。この例示的実施形態は、中央装飾物２０２を支持するカラー２２０を含んでいてもよい。カラー２２０は、２つまたはそれ以上の対向する側で、例えば第一の装飾物支持構造２１６と第二の装飾物支持構造２１８によって支持されていてもよい。装飾物支持構造２１６、２１８は、上部で１つまたは複数の偏倚装飾物２１２、２１４を見えるように支持してもよい。装飾物支持構造２１６、２１８は、底部で接続されていてもよく、第一の開口部２０８と第二の開口部２１０がそれぞれ第一の環状要素２０４と第二の環状要素２０６と係合するための穴を含んでいてもよい。この例示的実施形態において、開口部２０８、２１０は環状要素２０４、２０６の円形または実質的に正方形の断面を収容するように丸くてもよい。
【００１３】
図３Ａは、装飾物支持手段を備えるクロスボウ用リングのある例示的実施形態の上面図を示す。この実施形態では、装飾物支持構造３２２は、一体化された上および底部を有していてもよい。図３Ｂは、ある例示的実施形態の側面図を示す。この実施形態では、中央装飾物３０２は、装飾物支持構造３２２の中に延びていてもよい球形であるか、実質的に半球形であってもよい。中央装飾物３０２の表面は平滑または織目加工付きであってもよく、意匠が施されていてもよい。装飾物支持手段を備えるクロスボウ用リングは、第一の環状要素３０４と係合し、またはこれを受けるための第一の開口部３０８と、第二の環状要素３０６と係合し、またはこれを受けるための第二の開口部３１０と、を含んでいてもよい。第一の開口部３０８と第二の開口部３１０は長方形等のどのような形状であってもよく、第一の環状要素３０４と第二の環状要素３０６の横方向の移動を制限する一方で、第一の環状要素３０４と第二の環状要素３０６がそれぞれ第一の開口部３０８と第二の開口部３１０を通じて回転できるようにする形状であってもよい。
【００１４】
図４Ａは、装飾物支持手段を備えるクロスボウ用リングのある例示的実施形態の上面図を示す。図４Ｂは、ある例示的実施形態の側面図を示す。図４Ｃは、ある例示的実施形態の正面図を示す。この例示的実施形態は、第一の装飾物支持構造４１６と、第二の装飾物支持構造４１８と、を含んでいてもよく、これらは中央装飾物４０２を支持できるカラー４２０に接続されている。これに加えて、この実施形態では、装飾物支持構造４１６、４１８は、側面から見た時に中央装飾物４０２がより障害物の少ない方法で見えるように設計されていてもよい。
【００１５】
図５Ａは、装飾物支持手段を備えるクロスボウ用リングのある例示的実施形態の上面図を示す。図５Ｂは、ある例示的実施形態の側面図を示す。図５Ｃは、ある例示的実施形態の正面図を示す。この例示的実施形態において、第一の装飾物支持構造５１６と第二の装飾物支持構造５１８は、それらのそれぞれの表面に取り付けられた１つまたは複数の石を有していてもよい。
【００１６】
図６Ａは、装飾物支持手段を備えるクロスボウ用リングのある例示的実施形態の上面図を示す。図６Ｂは、装飾物支持手段を備えるクロスボウ用リングのある例示的実施形態の側面図を示す。図６Ｃは、装飾物支持手段を備えるクロスボウ用リングのある例示的実施形態の正面図を示す。１つの例示的実施形態は、追加の装飾物、例えば石を見えるように支持するための第一の追加の装飾物支持構造６２４と第二の追加の装飾物支持構造６２６を含んでいてもよい。いくつかの実施形態において、これらの追加の装飾物支持構造６２４、６２６は３本爪の意匠であってもよい。
【００１７】
図７Ａは、装飾物支持手段を備えるクロスボウ用リングのある例示的実施形態の上面図を示す。図７Ｂは、装飾物支持手段を備えるクロスボウ用リングのある例示的実施形態の側面図を示す。図７Ｃは、装飾物支持手段を備えるクロスボウ用リングのある例示的実施形態の正面図を示す。この例示的な装飾物支持手段を備えるクロスボウ用リングは、例えば石、宝石、真珠等の中央装飾物７０２を含んでいてもよい。この例示的実施形態において、追加の装飾物支持構造７２４、７２６は、追加の装飾物７１２、７１４、７２８、７３０を含んでいてもよい。いくつかの実施形態において、第一の環状要素７０４と第二の環状要素７０６は無地であっても、石が取り付けられていても、および／または織目加工付の半球体が取り付けられていてもよい。ある例示的実施形態において、環状要素７０４、７０６の１つまたは複数の断面は丸、楕円、正方形、台形または三角形であってもよい。
【００１８】
当業者であれば、本明細書で説明した要素、構成部品、ステップ、機能は、さらに細かく分け、組み合わせ、および／または変更してもよく、それでも依然として本発明の実施形態の主旨から逸脱しない。したがって、開示された実施形態の各種の特徴と態様を相互に組み合わせ、または置き換えることによって、例として開示された本発明の異なる形態を形成できることを理解するべきである。本明細書の中で例として開示された本発明の範囲は、上述のような具体的な開示された実施形態によって限定されることは意図されていない。したがって、本発明は限定ではなく例として開示されており、本発明の範囲を判断するためには、以下の特許請求の範囲を参照するべきである。
【図１Ａ】
2015528346.tif 000003
【図１Ｂ】
2015528346.tif 000004
【図１Ｃ】
2015528346.tif 000005
【図１Ｄ】
2015528346.tif 000006
【図２Ａ】
2015528346.tif 000007
【図２Ｂ】
2015528346.tif 000008
【図３Ａ】
2015528346.tif 000009
【図３Ｂ】
2015528346.tif 000010
【図４Ａ】
2015528346.tif 000011
【図４Ｂ】
2015528346.tif 000012
【図４Ｃ】
2015528346.tif 000013
【図５Ａ】
2015528346.tif 000014
【図５Ｂ】
2015528346.tif 000015
【図５Ｃ】
2015528346.tif 000016
【図６Ａ】
2015528346.tif 000017
【図６Ｂ】
2015528346.tif 000018
【図６Ｃ】
2015528346.tif 000019
【図７Ａ】
2015528346.tif 000020
【図７Ｂ】
2015528346.tif 000021
【図７Ｃ】
2015528346.tif 000022
【国際調査報告】
2015528346.tif 000023
2015528346.tif 000024